(57)【要約】【課題】記録再生装置におけるディスクタイプの確認を容易とし、一つの記録再生装置で他の種類の光ディスクと共用化し、ディスクの生産を容易にする。ＲＯＭ層の旧データを、ネット接続できる際に得た更新データをＲＥ層に記録し、置き換えることを可能にする。【解決手段】光情報記録媒体１は、基板５０上に、ＲＯＭ層２０及びＲＥ層４０と、ＲＯＭ層２０及びＲＥ層４０を分離する中間層３０と、基板５０より最も遠い位置に設けられたカバー層１０と、を有し、ＲＥ層４０は、カバー層１０より最も遠い位置に設けられた情報記録層であり、且つディスクタイプ識別情報及び個体識別番号を記録するためにμｍ単位の幅で長さがμｍ単位からｍｍ単位のストライプが形成される記録層であり、且つ当該ディスクタイプ識別情報及び個体識別番号が、光情報記録媒体１製造後に記録される。【選択図】図１
2010186542.tif 000002
【特許請求の範囲】
【請求項１】
基板上に、再生光によって情報を読み出すことが可能な複数の情報記録層と、上記複数の情報記録層各々を分離する中間層と、上記基板より最も遠い位置に設けられた透光層とを有し、上記複数の情報記録層は、情報を読み出すことのみ可能な層と情報を書き換えることが可能な領域を含む書き換え層からなる光情報記録媒体であって、
上記透光層より最も遠い位置に設けられた情報記録層が、情報を書き換えることが可能な領域を含む書き換え層であり、且つディスクタイプ識別情報及び個体識別番号を記録するためにμｍ単位の幅で長さがμｍ単位からｍｍ単位のストライプが形成される記録層であり、
且つ、上記ディスクタイプ識別情報及び個体識別番号が、上記光情報記録媒体製造後に記録されることを特徴とする光情報記録媒体。
【請求項２】
上記ディスクタイプ識別情報、及び上記個体識別番号が記録される半径位置は、情報の再生にトラッキングが必要となる情報記録領域より内周にあることを特徴とする請求項１に記載の光情報記録媒体。
【請求項３】
上記透光層より最も遠い位置に設けられた情報記録層のトラックパス方向が内周から外周に向かう方向となっており、且つ上記トラックパス方向に対し、上記透光層より最も遠い位置に設けられた上記情報を読み出すことのみ可能な層のトラックパスがパラレルトラックパスとなっていることを特徴とする請求項１又は２に記載の光情報記録媒体。
【請求項４】
上記情報を読み出すことのみ可能な層のリードイン領域がコンテンツ記録領域より内周部に設けられていることを特徴とする請求項３に記載の光情報記録媒体。
【発明の詳細な説明】
【技術分野】
【０００１】
本発明は、光情報記録媒体に関する。
【背景技術】
【０００２】
現在、コンビネーションディスク（ＲＯＭ（再生専用；Read Only Memory）層とＲＥ（記録再生；Rewritable）層からなる多層光ディスクが混在するディスク）が求められている。その理由は、例えば以下のことがあげられる。カーナビソフトでは、常にインターネットに接続できるわけではなく、全ての地図情報をダウンロードするには時間が掛かるため、安価なＲＯＭでの配布が望ましい。一方、地図情報は日々変わるため、ネットから新たに更新できるほうが望ましい。この両方の問題を解決できるＲＯＭ層の旧データを、インターネット接続できる際に得た更新データをＲＥ層に記録し、置き換えることが可能になるコンビネーションディスクが求められていた。
【０００３】
上記コンビネーションディスクを実現するには、特許文献１にあるように、再生光入射面から最も遠い位置にある情報記録層（以下、Ｌ０層と称する）からの戻り光には、他の情報記録層の存在により損失が生じるため、一般にＲＥ層より反射率の高いＲＯＭ層を設けるほうが好ましいと考えられていた。
【０００４】
また、光ディスクの一つの規格において、ＲＯＭ，Ｒ，ＲＷ，ＲＥ等種類があると共に、記録容量向上の為に情報記録層を２層にするなど様々なバージョン（ディスクタイプ）がある。そして、例えば、上記のようなカーナビでの使用を想定すると、一つの記録再生装置で、カーナビを使用していない時には、レンタル映画ソフト（ＲＯＭ）や自宅での録画したドラマを録画したディスク（Ｒ，ＲＷ，ＲＥ）を再生できることが望まれるので、上記記録再生装置においては、ディスクが装填された場合、できるだけ容易にディスクのタイプを判別する手段が必要となる。
【０００５】
上記ディスクタイプを判別する手段としては、情報記録領域外にバーコードを印刷する等の方式等も考えられるが、後述する理由のため、情報付加後は修正が出来ず、ディスクが完成した状態で記録するほうが望ましい。このため、実質的は、ＢＣＡ(Burst cutting area)記録（ＹＡＧレーザ等によりパルスレーザー光を情報記録層に照射して、例えば約１０μｍ程度の幅で長さが数百μｍのストライプ（バーコードのような）を形成し、情報を記録すること）のような光照射を用いたディスク内部への記録が望ましい。
【０００６】
特許文献１には、再生光入射面より順に透明基板、ＲＥ層、中間層、ＲＯＭ層、保護樹脂膜からなるコンビネーションディスクが開示されている。
【０００７】
特許文献１に開示されているように、コンビネーションディスクを実現するには、再生光入射面から最も遠い位置にある情報記録層（Ｌ０）からの戻り光には、他の情報記録層の存在により損失が生じるため、一般にＲＥ層より反射率の高いＲＯＭ層を設けるほうが好ましい。
【０００８】
また、非特許文献には、ディスクタイプを判断する方法として、ビームエキスパンダの値やフォーカスやトラッキングの状態が最適でなくとも判定可能となるような大きさの記録マークにて情報（ＢＣＡ）を記録する方法が記載されている。
【先行技術文献】
【特許文献】
【０００９】
【特許文献１】特開平９−１０６５４６号公報（１９９７年４月２２日公開）
【非特許文献】
【００１０】
【非特許文献１】（Standard ECMA-267,-382,-384）
【発明の概要】
【発明が解決しようとする課題】
【００１１】
しかしながら、非特許文献（ＤＶＤ規格）に記載の技術では、ディスクのタイプによって、ＢＣＡ記録する位置がまちまちであるという問題があった。例えば、ＤＶＤ−ＲＯＭは、光入射面から遠い基板に設けられた情報記録層に設けられており、２層のＤＶＤ−Ｒ、−ＲＷは光入射面に近い基板に設けられた情報記録層に設けられている。すなわち、記録再生装置は、ディスクのどの層にＢＣＡが設けてあるかを予め設定することが出来ず、ＢＣＡを再生する場合に、記録されている層を確定するために、ある程度のフォーカスサーチが必要であった。
【００１２】
また、特許文献１に開示されているように、再生光入射面から最も遠い位置にある情報記録層（Ｌ０）に、ＲＯＭ層を設けるコンビネーションディスクには、後述する理由で、再生光入射面から最も遠い層にＢＣＡ記録することは困難であるという問題点があった。
【００１３】
ＤＶＤタイプよりも、容量アップが図りやすいＢＤ（Blu-ray Disc：登録商標）形式の多層ディスクでは、上記情報が記録される層は、ＢＤタイプの多層ディスクにおいては、単板光ディスクであることから、基板上に必ず情報記録層が設けられる。
【００１４】
なぜならば、ＤＶＤのような２枚の基板を貼り合せる複板光ディスクでは、どちらの基板表面に情報記録層があってもコスト等に差が生じないが、単板光ディスクにおいては、情報記録層を２層化するためには、基板に設けられた情報記録層の上に中間層を設けて新たな情報記録層を設ける必要がある。このため、コストの点から基板上に情報記録層を設けないで、中間層を設けることは、実質ありえないためである。
【００１５】
すなわち、ＢＤタイプの光ディスクの規格においては、基板上に必ず情報記録層が設けられることになるので、上記情報記録層に記録された情報を再生するための記録再生装置は、記録された場所を想定しやすく、ＢＣＡ再生の設定を予め行うことが可能になる。よって、一つの記録再生装置において、同一規格内の様々な種類の媒体を共用（ディスクタイプを認識するのみを含む）しやすくなる。
【００１６】
しかしながら、上記を実現するためには、特許文献１に記載のコンビネーションディスクには以降に示す点で問題があった。
【００１７】
まず、ＢＣＡ記録（ＹＡＧレーザ等によりパルスレーザー光を情報記録層に照射して、例えば約１０μｍ程度の幅で長さが数百μｍのストライプ（バーコードのような）を形成し、情報を記録すること）は、再生が容易になるように特定の位置に記録されていることが望ましい。更に、ＢＤ形式の場合は後述する理由により、Ｌ０の位置に記録されることが望ましい。
【００１８】
また、ＢＣＡ記録時には、ＲＥ層への不正なダビング等を防止できるディスクの個体識別番号も同時に記録されることがコストダウンのためには好ましい。
【００１９】
さらに、個体識別番号を記録する場合は、製造上の管理の観点から、ディスクが完成した状態で記録するほうが望ましい。すなわち、実質的にはＢＣＡ記録はディスクが完成した状態で記録する必要がある。
【００２０】
ところで、詳細は後述するが、ＢＣＡ記録において、ＲＯＭ層への記録とＲＥ層への記録では、記録する際に必要なレーザの出力が大きく異なる。異なる理由は、ＲＥ層であれば、通常の情報記録を行う場合と同様に、記録マークの状態を結晶状態とアモルファス状態へ相変化させれば良いが、ＲＯＭ層の場合はコストの観点から通常金属反射膜のみが設けられているため、相変化させることは出来ず、金属膜を焼き切るような状態にすることで記録するため、より大出力のレーザを用いる必要があるためである。
【００２１】
一方、２層ＲＥディスクにおいては、Ｌ０にＢＣＡ記録する場合、少なくとも直上のＲＥ層（Ｌ１）においても、Ｌ０層へと透過する高出力レーザによる熱により、相変化が起こる場合がある。
【００２２】
よって、少なくともＬ０層がＲＯＭ層であるコンビネーションディスクは、Ｌ０層が情報記録層の中で、最も光入射面より遠い位置に設けられているため、ＢＣＡ記録の際、ビームが必ず他の情報記録層を通過するので、その途中のいずれかの層に必ず存在するＲＥ層をビームが通過する。詳細は後述するが、その場合、ＲＯＭ層に比べてＲＥ層は光を吸収しやすいので、ＲＥ層の温度が上昇し、その熱によりカバー層とＲＥ層が剥離するという現象が生じる。このような現象が生じると、Ｌ０層上にフォーカスすることができず、Ｌ０層上にＢＣＡ記録された情報が正しく再生できない。
【００２３】
本発明の目的は、上記の問題に鑑み、同一規格内の他の様々な種類（Ｒ,ＲＥ,Ｒや層数が異なる媒体）と記録再生装置を共用でき、大容量情報を安価に配布可能であると共に、更新データにて随時アップデート可能な光情報記録媒体を提供することである。
【課題を解決するための手段】
【００２４】
上記の課題を解決するために、本発明の光情報記録媒体は、基板上に、再生光によって情報を読み出すことが可能な複数の情報記録層と、上記複数の情報記録層各々を分離する中間層と、上記基板より最も遠い位置に設けられた透光層とを有し、上記複数の情報記録層は、情報を読み出すことのみ可能な層と情報を書き換えることが可能な領域を含む書き換え層からなる光情報記録媒体であって、上記透光層より最も遠い位置に設けられた情報記録層が、情報を書き換えることが可能な領域を含む書き換え層であり、且つディスクタイプ識別情報及び個体識別番号を記録するためにμｍ単位の幅で長さがμｍ単位からｍｍ単位のストライプが形成される記録層であり、且つ、上記ディスクタイプ識別情報及び個体識別番号が、上記光情報記録媒体製造後に記録されることを特徴としている。
【００２５】
上記ディスクタイプ識別情報、及び上記個体識別番号が記録される半径位置は、情報の再生にトラッキングが必要となる情報記録領域より内周にあることが好ましい。
【００２６】
上記透光層より最も遠い位置に設けられた情報記録層のトラックパス方向が内周から外周に向かう方向となっており、且つ上記トラックパス方向に対し、上記透光層より最も遠い位置に設けられた上記情報を読み出すことのみ可能な層のトラックパスがパラレルトラックパスとなっていることが好ましい。
【００２７】
上記情報を読み出すことのみ可能な層のリードイン領域がコンテンツ記録領域より内周部に設けられていることが好ましい。
【発明の効果】
【００２８】
以上のように、本発明の光情報記録媒体は、基板上に、再生光によって情報を読み出すことが可能な複数の情報記録層と、上記複数の情報記録層各々を分離する中間層と、上記基板より最も遠い位置に設けられた透光層とを有し、上記複数の情報記録層は、情報を読み出すことのみ可能な層と情報を書き換えることが可能な領域を含む書き換え層からなる光情報記録媒体であって、上記透光層より最も遠い位置に設けられた情報記録層が、情報を書き換えることが可能な領域を含む書き換え層であり、且つディスクタイプ識別情報及び個体識別番号を記録するためにμｍ単位の幅で長さがμｍ単位からｍｍ単位のストライプが形成される記録層であり、且つ、上記ディスクタイプ識別情報及び個体識別番号が、上記光情報記録媒体製造後に記録される。
【００２９】
それゆえ、記録再生装置におけるディスクタイプの確認が容易となり、一つの記録再生装置で他の種類の光ディスクと共用化できると共に、ディスクの生産が容易になる。そしてＲＯＭ層の旧データを、ネット接続できる際に得た更新データをＲＥ層に記録し、置き換えることが可能になる光情報記録媒体を実現できる。
【図面の簡単な説明】
【００３０】
【図１】本発明の光情報記録媒体の構成を表す概略図である。
【図２】本発明の光情報記録媒体の構成を表す平面図である。
【図３】（ａ）は、Ｌ０層及びＬ１層が共に、ＲＯＭ層である光情報記録媒体の構成を表す概略図であり、（ｂ）はＬ０層及びＬ１層が共に、ＲＥ層である光情報記録媒体の構成を表す概略図であり、（ｃ）はＬ０層がＲＥ層であり、Ｌ１層がＲＯＭ層である光情報記録媒体の構成を表す概略図である。
【図４】図３（ａ）に示す光情報記録媒体にＢＣＡ記録を行った箇所の表面の様子を表す要部拡大図である。
【図５】図４で示す光情報記録媒体の表面であるカバー層の厚みを測定した結果を表すグラフである。
【図６】インピット記録形式のＲＯＭ層を説明する概略図である。
【図７】オングルーブ記録形式のＲＥ層を説明する概略図である。
【図８】オンピット記録形式のＲＯＭ層を説明する概略図である。
【図９】（ａ）（ｂ）はオポジットトラックパスの説明図であり、（ａ）は光入射面から見たＬ０層のトラックパス方向を表す説明図であり、（ｂ）は光入射面から見たＬ１層のトラックパス方向を表す説明図である。
【図１０】（ａ）（ｂ）はパラレルトラックパスの説明図であり、（ａ）は光入射面から見たＬ０層のトラックパス方向を表す説明図であり、（ｂ）は光入射面から見たＬ１層のトラックパス方向を表す説明図である。
【図１１】（ａ）は、オポジットトラックパスの場合の情報の記録再生の様子を説明する図であり、（ｂ）は、パラレルトラックパスの場合の情報の記録再生の様子を説明する図である。
【図１２】本発明の一実施形態に係る光情報記録再生装置について説明する概略図である。
【図１３】本発明の一実施形態に係る光情報記録媒体のＢＣＡの一例を表す概略図である。
【発明を実施するための形態】
【００３１】
以下、本発明の実施の形態について、詳細に説明する。
（光情報記録媒体１の概略構成）
本発明の一実施の形態に係る光情報記録媒体１の構成について説明する。
【００３２】
図１は、光情報記録媒体１の構成を表す概略図である。
【００３３】
図１に示すように、光情報記録媒体１は、基板５０上に、再生光によって情報を読み出すことが可能な複数の情報記録層であるＲＯＭ層２０及びＲＥ層４０と、ＲＯＭ層２０及びＲＥ層４０を分離する中間層３０と、基板５０より最も遠い位置に設けられたカバー層１０と、を有する。カバー層１０が配置される側が、再生光の入射側である。
【００３４】
また、ＲＯＭ層２０は、情報を読み出すことのみ可能な層である。そして、ＲＥ層４０は、情報を書き換えることが可能な領域を含む書き換え層である。ＲＥ層４０は、カバー層１０より最も遠い位置に設けられた情報記録層であり、且つ光照射によって情報を読み出すことのみ可能な層において用いられている情報記録形式より容易に判定可能な方式で記録されるディスクタイプ識別情報及び個体識別番号の記録層である。
【００３５】
カバー層１０は、例えば、厚さ７５μｍの紫外線硬化樹脂（再生光波長４０５ｎｍにおける屈折率１．５０）からなる。カバー層１０の材料は、再生光の波長において透過率が高いものであれば良い。すなわち、カバー層１０は、例えばポリカーボネートフィルムと透明粘着剤とで形成されていても良い。また、カバー層１０の表面には、表面保護のためのハードコートが設けられていても良い。さらに、カバー層１０の厚さは、光情報記録媒体の再生装置（駆動装置）が有する光学系に応じて変更されても良い。具体的には、カバー層１０は、例えば０．６ｍｍのポリカーボネ−ト基板であっても良い。
【００３６】
ＲＯＭ層２０は、例えば、厚さ９ｎｍのＡＰＣ（ＡｇＰｄＣｕ）からなりスパッタ法により中間層３０の表面に成膜されている。ＲＯＭ層２０の厚さ及び材料は、これに限られるものではなく、ＲＯＭ層２０として必要な再生光波長における透過率と反射率を有していれば良い。
【００３７】
中間層３０は、例えば、厚さ２５μｍの透明紫外線硬化樹脂（再生光波長における屈折率１．５０）からなる。中間層３０の材料は、これに限られたものではなく、再生光の波長において透過率が高い材料であれば良い。また、中間層３０の厚さも、これに限られたものではなく、各情報記録層（ここでは、ＲＯＭ層２０及びＲＥ層４０）を分離でき、層間クロストークが問題にならない適度の厚さであれば良い。なお、層間クロストークとは、再生中の情報記録層以外の情報記録層からのノイズを指す。さらに、中間層３０は、多層構造であっても良い。また、この中間層３０の、ＲＯＭ層２０側の面には、２Ｐ法（ｐｈｏｔｏ  ｐｏｌｙｍａｒｉｚａｔｉｏｎ法）により、ＲＯＭ層２０に形状として記録される情報に応じた凹凸からなるプリピットが設けられている。
【００３８】
ここで、２Ｐ法とは、平板と原盤との間に紫外線硬化樹脂を充填し、紫外線を照射して紫外線硬化樹脂を硬化させた後原盤を剥離することによって、平板上に原盤の凹凸を転写する手法を指す。
【００３９】
ＲＥ層（Ｌ０層）４０は、例えば、スパッタ法等により７層の薄膜が積層されてなるものである。具体的には、この７層の薄膜は、再生光の入射側から、第１保護膜４１（厚さ３５ｎｍのＺｎＳ−ＳｉＯ２）、第２保護膜４２（厚さ５ｎｍのＺｒＯ２）、記録層４３（厚さ１０ｎｍのＧｅＴｅ−Ｓｂ２Ｔｅ３）、第３保護膜４４（厚さ５ｎｍのＺｒＯ２）、第４保護膜４５（厚さ３５ｎｍのＺｎＳ−ＳｉＯ２）、第５保護膜４６（厚さ５ｎｍのＺｒＯ２）、及び反射膜４７（厚さ２０ｎｍのＡＰＣ（ＡｇＰｄＣｕ））が順に積層されている。なお、ＲＥ層４０の材料、厚さ及び層数は、これに限られるものではなく、ＲＥ層として機能するものであれば良い。
【００４０】
基板５０には、例えば、直径１２０ｍｍ、厚さ１．１ｍｍである、グルーブを有するポリカーボネートの円盤状基板からなる。基板５０の材料及び厚さは、これに限られるものではなく、表面にグルーブが設けられており、上記かつ基板として使用できる程度の所定の強度があれば良い。具体的には、基板５０は、例えばポリオレフィン樹脂、金属等からなっていても良い。さらに、基板５０は、多層構造であっても良い。
【００４１】
図２は、光情報記録媒体１の構成の概略を表す平面図である。
【００４２】
図１３は、光情報記録媒体１に配置されているＢＣＡの一例を表す概略図である。
【００４３】
図２に示すように光情報記録媒体１は、通常の情報の記録再生を行うための領域である領域Ａ（コンテンツ記録領域）と、ＢＣＡを記録再生するための領域である領域Ｂとを含む。
【００４４】
領域Ａは、ユーザが使用するためのコンテンツ情報などの記録再生を行なうための領域である。
【００４５】
領域Ｂは、ＢＣＡを記録するためのＢＣＡ記録領域であり、光情報記録媒体１の内周側に設けられている。ＢＣＡは、基板５０の直上であるＬ０層に設けられている。
【００４６】
ＢＣＡは、ＲＯＭ層２０において用いられている情報記録形式より容易に判定可能な方式で記録されている。また、ＢＣＡは、ディスクタイプ識別情報及び個体識別番号を含むものである。ＢＣＡの一例を図１３に示す。図１３では、矢印ａは長さを表し、矢印ｂは幅を表す。
【００４７】
光情報記録媒体１では、上記ディスクタイプ識別情報及び上記個体識別情報は、上記透光層より最も遠い位置に設けられた情報記録層であるＬ０層に記録されている。
【００４８】
このため、上記複数の情報記録層のうち、上記ディスクタイプ識別情報及び上記個体識別情報がどの層に記録されているかを、上記ディスクタイプ識別情報及び上記個体識別情報を再生する再生装置に、予め設定させておくことが可能となる。これにより、上記複数の情報記録層のうち、上記ディスクタイプ識別情報及び上記個体識別情報が記録されている層を、上記再生装置に特定させるための時間を短縮することができる。さらに、同一の再生装置で、さまざまなディスクタイプの光情報記録媒体の共有化が容易になる。
【００４９】
また、上記構成によると、カバー層１０から最も遠い位置に設けられた情報記録層が、ＲＥ層である。上記構成によると、Ｌ０層としてＲＥ層４０が配置されることとなる。
【００５０】
このため、Ｌ０層としてＲＯＭ層を配置した場合に生じる、ＲＯＭ層にＢＣＡを記録する際のＲＥ層と、当該ＲＥ層の上層または下層に配される中間層や、透光層などとが剥離することを防止することができる。このため、Ｌ０層にＢＣＡ記録された上記ディスクタイプ識別情報や、上記個体識別番号などを、正しく再生装置などに再生させることができる（詳細は後述する）。
【００５１】
このように、光情報記録媒体１は、ＤＶＤタイプよりも、記録容量アップが図りやすいＢＤ形式の多層ディスクであり、且つコンビネーションディスクにおいては、Ｌ０層にユーザが利用する情報記録形式より容易に判定可能な方式で記録されるディスクタイプ識別情報及び個体識別番号があると共に、ＲＥ層４０を配置する構成である。
【００５２】
上記構造により、光情報記録媒体１の記録再生装置におけるディスクタイプの確認が容易となり、一つの記録再生装置で他の種類の光ディスクと共用化できると共に、ディスクの生産が容易になる。そしてＲＯＭ層の旧データを、ネット接続できる際に得た更新データをRE層に記録し、置き換えることが可能になるコンビネーションディスクが実現できる。なお、本発明の実施の形態に係る光情報記録媒体は上記に限るものではなく、ＲＥ層やＲＯＭ層が更に設けられた３層以上の情報記録媒体であっても良く、その場合はカバー層や中間層の厚みが上記と異なっても良い。
【００５３】
ＢＣＡは、パルスレーザー光が、Ｌ０層であるＲＥ層４０に照射されることにより、μｍ単位の幅のストライプがＲＥ層４０に形成される。これにより、ＢＣＡがＲＥ層４０に形成される。ＢＣＡは、μｍ単位の幅で長さが数百μｍのストライプであるので、ＲＯＭ層２０に形成されるプリピットなどより大きい。このため、ＢＣＡを再生する再生装置のフォーカスが多少ずれたとしてもトラッキングを行わなくとも上記再生装置で読み取ることが可能である。このため、ＢＣＡは、ＲＯＭ層においてＲＯＭ層において用いられるプリピットより、容易に判別可能な方式で、Ｌ０層であるＲＥ層４０に記録される。
【００５４】
また、光情報記録媒体１において、領域Ｂは、領域Ａより内周に配置されている。つまり、ＢＣＡは、光情報記録媒体１の内周近傍に配置される。このため、ＢＣＡを光情報記録媒体１の外周近傍に配置する場合と比較して、光情報記録媒体１に記録するＢＣＡの記録量を少なくすることができる。このため、ＢＣＡを光情報記録媒体１に記録するための時間短縮することができる。
【００５５】
また、ＲＥ層４０（書き替え層）のアドレスは、ＲＥ層４０に設けられたグルーブを基板面方向に蛇行させることによって記録され、ＲＯＭ層２０のアドレスは、ＲＯＭ層２０に設けられた凹凸からなるプリピットにより記録されている。
【００５６】
ここで、ＲＥ層４０には、情報記録時に半径方向に隣接する記録マーク同士が干渉しないように、または精度良く再生するために、通常、グルーブが設けられている。よって、アドレス情報を記録するためには、上記書き換え層に設けられたグルーブを、基板面方向に蛇行させることによって記録する（以下、ウォブルと称する）ことが最も容易である。一方、グルーブ上にプリピットを設けたり、グルーブの途中にプリピットを設けたりすることは、作業が複雑になるため作製コストが増大する。
【００５７】
同様に、ＲＯＭ層２０には一般に凹凸からなるプリピットにより情報記録されているので、上記と同様の理由により、アドレス情報を記録するためには、プリピットを設けることにより、作製コストの増大を防止することができる。
【００５８】
（従来の問題点）
次に、図３（ａ）〜（ｃ）を用い、従来のコンビネーションディスクにおけるＢＣＡを記録する際の問題点について、以下に示す２種類の媒体におけるＢＣＡ記録結果を用いて説明する。
【００５９】
図３（ａ）は、Ｌ０層及びＬ１層が共に、ＲＯＭ層である光情報記録媒体の構成を表す概略図であり、（ｂ）はＬ０層及びＬ１層が共に、ＲＥ層である光情報記録媒体の構成を表す概略図であり、（ｃ）はＬ０層がＲＥ層であり、Ｌ１層がＲＯＭ層である光情報記録媒体の構成を表す概略図である。つまり図３（ｃ）は光情報記録媒体１の構成を表す。
【００６０】
図３（ａ）に示すように、光情報記録媒体１１０は、再生光の入射面側から順に、カバー層１０、ＲＯＭ層１２０、中間層３０、ＲＯＭ層１４０及び基板５０が積層された構造となっている。
【００６１】
カバー層１０は、厚さ７５μｍの紫外線硬化樹脂（再生光波長４０５ｎｍにおける屈折率１．５０）からなる。
【００６２】
ＲＯＭ層１２０は、厚さ９ｎｍのＡＰＣ（ＡｇＰｄＣｕ）からなる。ＲＯＭ層１２０を形成するＡＰＣは、スパッタ法により中間層３０の表面に成膜されている。
【００６３】
中間層３０は、厚さ２５μｍの透明紫外線硬化樹脂（再生光波長における屈折率１．５０）からなる。また、この中間層３０の、ＲＯＭ層１２０側の面には、２Ｐ法により、ＲＯＭ層１２０に形状として記録される情報に応じた凹凸からなるプリピットが設けられている。
【００６４】
ＲＯＭ層１４０は、厚さ１７ｎｍのＡＰＣ（ＡｇＰｄＣｕ）からなる。ＲＯＭ層１４０を形成するＡＰＣは、スパッタ法により基板５０の表面に成膜されている。
【００６５】
基板５０には、直径１２０ｍｍ、厚さ１．１ｍｍである、グルーブを有するポリカーボネートの円盤状基板を使用した。
【００６６】
図３（ｂ）に示すように、光情報記録媒体２００は、再生光入射面側から順に、カバー層１０、ＲＥ層（Ｌ１層）２２０、中間層３０、ＲＥ層（Ｌ０層）２４０及び基板５０が積層された構造となっている。
【００６７】
カバー層１０は、厚さ７５μｍの紫外線硬化樹脂（再生光波長における屈折率１．５０）からなる。
【００６８】
ＲＥ層（Ｌ１層）２２０は、６層の薄膜からなる。図示しないが、この６層の薄膜は、再生光入射側から、第１保護膜（厚さ３５ｎｍのＺｎＳ−ＳｉＯ２）、第２保護膜（厚さ５ｎｍのＺｒＯ２）、記録層（厚さ６ｎｍのＧｅＴｅ−Ｓｂ２Ｔｅ３）、第３保護膜（厚さ５ｎｍのＺｒＯ２）、半透明膜（厚さ１０ｎｍのＡＰＣ（ＡｇＰｄＣｕ））、及び透過率調整膜（厚さ１９ｎｍのＴｉＯ２）が順に積層されてなる。
【００６９】
中間層３０は、厚さ２５μｍの透明紫外線硬化樹脂（再生光波長における屈折率１．５０）からなる。また、この中間層３０の、ＲＥ層（Ｌ１層）２２０側の面には、２Ｐ法によりグルーブが設けられている。
【００７０】
ＲＥ層（Ｌ０層）２４０は、スパッタ法により７層の薄膜が積層されている。図示しないが具体的には、この７層の薄膜は、再生光入射側から、第１保護膜（厚さ３５ｎｍのＺｎＳ−ＳｉＯ２）、第２保護膜（厚さ５ｎｍのＺｒＯ２）、記録層（厚さ１０ｎｍのＧｅＴｅ−Ｓｂ２Ｔｅ３）、第３保護膜（厚さ５ｎｍのＺｒＯ２）、第４保護膜（厚さ３５ｎｍのＺｎＳ−ＳｉＯ２）、第５保護膜（厚さ５ｎｍのＺｒＯ２）、及び反射膜（厚さ２０ｎｍのＡＰＣ（ＡｇＰｄＣｕ））が順に積層されている。
【００７１】
基板５０には、直径１２０ｍｍ、厚さ１．１ｍｍである、グルーブを有するポリカーボネートの円盤状基板を使用した。
【００７２】
そして、光情報記録媒体１１０を用いて、Ｌ０層がＲＯＭ層１４０である２層媒体におけるＬＯ層へのＢＣＡ記録に必要なパワーを測定するため、記録再生装置として、波長８０８ｎｍのレーザ光を出射可能な半導体レーザを有するＢＤ−ＲＥ用ＢＣＡ記録装置（パルステック社製  ＯＤＩ−１０００）にて、レーザーパワーを変更しながら光情報記録媒体１１０のＲＯＭ層１２０にＢＣＡ記録をおこなった。
【００７３】
しかしながら、上述のＢＤ−ＲＥ用ＢＣＡ記録装置の最大出力である２Ｗ（ＢＣＡ記録時の線速３ｍ/ｓ）においても、光情報記録媒体１１０のＬ０層であるＲＯＭ層１４０にＢＣＡ記録することは出来なかった。
【００７４】
次に、上記ＢＤ−ＲＥ用ＢＣＡ記録装置を用いて、最大出力である２Ｗ（ＢＣＡ記録時の線速３ｍ/ｓ）で、光情報記録媒体２００のＬ０層であるＲＥ層２４０へのＢＣＡ記録を行い、光情報記録媒体２００の表面を目視にて確認した。その結果を図４に示す。
【００７５】
図４は、光情報記録媒体２００へのＢＣＡ記録を行った実験結果の様子を表す説明図である。また、図５は、図４で示す測定箇所で示す矢印に沿って、光情報記録媒体２００の表面であるカバー層１０の厚みを測定した結果を表すグラフである。
【００７６】
図４の測定箇所を示す矢印は、紙面向かって左側方向が、光情報記録媒体２００の内径方向であり、紙面向かって右側方向が光情報記録媒体２００の外周方向である。そして、図５では、横軸は光情報記録媒体２００上の測定位置を表し、縦軸は光情報記録媒体２００表面であるカバー層１０の厚みを表す。
【００７７】
また、図４の原点を表す位置は、図５の横軸の測定位置が「０」の位置を表す。そして、図４の測定箇所を表す矢印の内径方向は、図５の測定位置としては負の方向を示す。また、図３の測定箇所を表す矢印の外周方向は、図５の測定位置としては正の方向を示す。
【００７８】
図４に示すように、光情報記録媒体２００にＢＣＡ記録を行ったＢＣＡ記録箇所が変色していることが目視によって確認することができた。
【００７９】
また、図５に示すように、測定位置が「−１」近傍で、カバー層１０の厚みが厚くなっていることが分かる。このように、図４、図５の結果から明らかなように、光情報記録媒体２００のＢＣＡ記録を行った半径位置において、カバー層１０が増大している。
【００８０】
この増大は、Ｌ１層において、ＲＥ層２２０と、カバー層１０とが剥離したことによって生じたものであると考えられる。
【００８１】
また、確認のため、上記半径位置のＬ０層へ、ＢＤ用評価機であるパルステック製ＯＤＵ−１０００にてフォーカスサーチを試みたところ、フォーカスが不可となっていることが判明した。
【００８２】
このようにフォーカスが不可となった原因は、上述したカバー層１０の剥離が、Ｌ０層であるＲＥ層２４０へのフォーカスを阻害していると考えられる。すなわち、カバー層１０が剥離すると、Ｌ０層の情報を再生することは不可能ということになる。
【００８３】
よって、Ｌ０層がＲＯＭ層であり、Ｌ１層がＲＥ層である２層の光情報記録媒体には、カバー層の剥離無しにＢＣＡ記録を行うことはできない。このため、Ｌ０層がＲＯＭ層であり、Ｌ１層がＲＥ層である２層の光情報記録媒体へは、実質、ＢＣＡ記録が不可であることになる。
【００８４】
加えて、ＲＯＭ層へのＢＣＡ記録は、より多層の光情報記録媒体になれば、より高いレーザパワーにて行う必要があるため、上記結果は、ＲＥ層とＲＯＭ層とが混在するＢＤタイプのコンビネーションディスクにおいて、他の種類媒体との共用化を図るために、Ｌ０層にＢＣＡ記録を行う場合には、Ｌ０層はＲＯＭ層であってはならないことを示している。
【００８５】
なお、ＲＥ層（Ｌ１層）２２０は、２層のＢＤ−ＲＥのＬ１層に一般に用いられている構成である。また、ＲＥ層（Ｌ１層）２２０の構成を他の構成としても、光を吸収して発熱する点では大差が無いため、結果は変わらない。
【００８６】
すなわち、ＲＥ層と、ＲＯＭ層とが混在するＢＤタイプのコンビネーションディスクにおいては、Ｌ０層は、必ずＲＥ層である必要があることになる。
【００８７】
また、図３（ｃ）のように、Ｌ０層にＲＥ層４０を設け、Ｌ１層にＲＯＭ層２０を設けたＢＤタイプのコンビネーションディスクとして光情報記録媒体１を作製した。そして、Ｌ０層であるＲＥ層４０にＢＣＡ記録を行ったところ、問題なくＢＣＡ記録ができることを確認した。つまり、光情報記録媒体１のように、Ｌ０層にＲＥ層４０を設け、Ｌ１層にＲＯＭ層２０を設けることにより、ＢＣＡ記録を行った箇所のカバー層が剥離するなどの問題は生じないことが確認できた。
（プリピットの記録形式）
次に、情報記録層（ＲＯＭ層、およびＲＥ層）に形成されるプリピットまたは記録マークの形式について説明する。
【００８８】
図６は、インピット記録形式のＲＯＭ層を説明する概略図である。図７は、オングルーブ記録形式のＲＥ層を説明する概略図である。図８は、オンピット記録形式のＲＯＭ層を説明する概略図である。
【００８９】
本実施の形態では、図６に示すように、光情報記録媒体１のＲＯＭ層２０には、プリピット２１が、ＲＯＭ層２０の光（再生光）入射面に対して凹となるように形成するインピット形式で、情報が記録されている。これにより、以降の理由により、コンビネーションディスクである光情報記録媒体１におけるＲＯＭ層２０の損傷を防止することができる。
【００９０】
ＲＯＭ層２０に、インピット形式によるプリピット２１が形成されていることにより、ＲＯＭ層２０の損傷を防止できる理由を説明するために、まず、最初に、上記以外の構造（すなわち、ＲＯＭ層にオンピット形式によるプリピットが形成されているコンビネーションディスクの構造）においては、ＲＯＭ層の損傷が発生することを説明する。
【００９１】
オンピット形式によるプリピットが形成されているＲＯＭ層は、図８に示すＲＯＭ層１２０のように、プリピット１２１が、ＲＯＭ層１２０の光（再生光）入射面に対して凸となるように形成されているものである。
【００９２】
通常、光ディスクの一つの規格において、情報の記録位置を示すアドレス情報は、ＲＯＭ，Ｒ，ＲＷ，ＲＥ等の種類に関わらず、光ディスクに情報を記録再生するための記録再生装置の機構を簡略化するために、同じ情報形式が使われる。
【００９３】
ここで、光情報記録媒体１の記録再生装置とは、記録および再生の両方を行う装置、記録のみ行う装置、再生性のみ行う装置を含むものである。
【００９４】
例えば、ＢＤ−ＲＥでは、これはアドレス情報の検出速度を上げるため、記録マークによる情報の記録時に、同時にアドレス情報も記録マークにより記録される。よって、コンビネーションディスクのＲＥ層（書き替え層）においても、同様の形式を踏襲する方が、コンビネーションディスクの記録再生装置の機構を簡略化することができる。
【００９５】
さらに、コンビネーションディスクにおいては、コスト削減のため、ＲＯＭ層のスタンパは、ＲＯＭディスク（情報記録層がＲＯＭ層のみからなる光ディスク）用スタンパと共用化できることが望ましい。
【００９６】
よって、望ましいコンビネーションディスクにおいては、ＲＥ層に情報（記録マーク）を記録した状態においては、ＲＯＭ層とＲＥ層との双方に、同一のアドレス情報が存在することになる。これは、本実施の形態に係る光情報記録媒体１でも同様であり、ＲＯＭ層２０とＲＥ層４０との双方に、同一のアドレス情報が存在することになる。
【００９７】
ここで、ＲＥ層４０には、凸部である複数のグルーブ４８と、凹部である複数のグルーブ４８間とのうち、グルーブ４８上に、情報である記録マーク４９が形成されている。
【００９８】
これは、例えば、ＢＤ−ＲＥのように、ＲＥ層のグルーブ間のピッチが、例えば０．３２μｍのように狭い場合、凸部（グルーブ上）と凹部（グルーブ間）とでは、入射光にとって等価ではなくなり、凹部に記録マークを記録する時は、入射光は凸部と凹部の壁を乗り越えて隣の凸部にまで届き、クロスライトの原因になる。
【００９９】
このため、必然的に上記以上に狭いトラックピッチを有するＲＥ層では、グルーブが凸部になる配置（凸部に記録マークを配置する構成）であるオングルーブで記録再生が必須となるからである。
【０１００】
よって、コンビネーションディスクである光情報記録媒体１においても、ＲＥ層４０では同様であると想定できる。すなわち、図７に示すように、ＲＥ層４０は、グルーブ４８が凸部になる配置（凸部に記録マーク４９を配置する構成）であるオングルーブで、記録再生が行なわれる。
【０１０１】
このように、コンビネーションディスクの再生装置では、ＲＥ層のアドレス情報を再生する場合、オングルーブ記録がなされているとの設定で情報の再生が行われる。
【０１０２】
ここで、コンビネーションディスクでは、ＲＯＭ層から、上述のようにして記録マークが記録されたＲＥ層へレイヤージャンプが行われた場合、必ずＲＥ層にフォーカスされる保証はない。
【０１０３】
しかし、ＲＯＭ層が、図８に示すＲＯＭ層１２０のように、オンピット形式である場合、上述のようにして情報が記録されたＲＥ層へレイヤージャンプが行われ、誤ってＲＯＭ層１２０にフォーカスされてしまった場合でも、通常のＲＥ層用のトラッキング手法であるＤＰＰでＲＯＭ層２０においてもトラッキング可能である。
【０１０４】
これは、通常のＲＥ層用のトラッキング手法であるＤＰＰは、プッシュプルの極性がポジティブであり、オングルーブにより記録マークが記録されたＲＥ層と、オンピット形式によるプリピットが形成されているＲＯＭ層とは、共に、プッシュプルの極性がポジティブであるトラッキング手法により、情報の記録再生の実行自体は可能であるからである。
【０１０５】
従って、ＲＯＭ層２０と、ＲＥ層４０とに、同一のアドレス情報が記録された光情報記録媒体１等のコンビネーションディスクのアドレス情報を再生したのみでは、ＲＯＭ層２０と、ＲＥ層４０との何れに記録されたアドレス情報であるかが不明である。このため、オングルーブにより記録マークが記録されたＲＥ層と、オンピット形式によるプリピットが形成されているＲＯＭ層とを備えているコンビネーションディスクの場合、当該コンビネーションディスクを記録再生する記録再生装置は、ＲＯＭ層と、ＲＥ層とのうち、どちらの層にフォーカスされているかが不明となる。
【０１０６】
よって、例えば、上記記録再生装置では、実際には、コンビネーションディスクのＲＯＭ層にフォーカスしているにもかかわらず、ＲＥ層にフォーカスしていると誤って判断し、ＲＯＭ層の情報の書き換えを実行してしまう可能性がある。
【０１０７】
一般的に、記録再生装置における、記録パワー（情報を記録するためのレーザ光のパワー）は、再生パワー（情報を再生するためのレーザ光のパワー）と比較して非常に大きい。
【０１０８】
このため、再生専用であるＲＯＭ層に想定外の高いパワーのレーザ光が照射されることになる。このため、ＲＯＭ層１２０のように、オンピット形式で情報が記録されているコンビネーションディスクの場合、ＲＯＭ層が損傷する可能性が高くなる。このように、ＲＯＭ層に、インピット形式で情報が記録されていない上記コンビネーションディスクにおいては、ＲＯＭ層の損傷が発生することが想定できる。
【０１０９】
次に、光情報記録媒体１では、ＲＯＭ層２０の損傷を防止できる理由を説明する。
【０１１０】
本実施の形態に係る光情報記録媒体１では、ＲＯＭ層２０のプリピット２１はインピット形式により形成されている。このように、インピット形式により形成されたプリピット２１は、プッシュプルの極性がネガティブであるトラッキング手法により、情報の読み取りが可能となる。
【０１１１】
すなわち、ＲＯＭ層２０に設けられている情報を再生した場合に得られるプッシュプル信号の極性が、ネガティブになる記録形式にて、ＲＯＭ層２０には、プリピット２１により情報が記録されていると表現することができる。
【０１１２】
このため、光情報記録媒体１の情報を記録再生する記録再生装置では、ＲＥ層４０のオングルーブでの情報記録に対応したプッシュプルの極性（ポジティブ）でＲＯＭ層２０をトラッキングすると、ＲＯＭ層２０におけるプリピットの記録形式はインピットであるため、ＲＯＭ層２０のアドレス情報の再生ができない。
【０１１３】
すなわち、ＲＯＭ層２０における誤った情報の書き換えが行えないことになり、誤ってＲＯＭ層２０にフォーカスされてしまった場合においても、上記本発明の構造により、ＲＯＭ層２０の損傷を防止できることになる。
【０１１４】
なお、プッシュプル信号の極性がネガティブとは、再生信号の受光部が内周と外周に２分割されており、外周側の受光部から得られる電圧から、内周側の受光部から得られる電圧を引くことによってプッシュプル信号が算出される再生機において、プリピットの情報を再生しているトラックから内周にジャンプした場合、プッシュプル信号のレベルが０、負、０、正、０となる順で得られることを意味する。当業者には一般的な表現である。
【０１１５】
（トラックパス）
次に、光情報記録媒体１のトラックパスについて説明する。
【０１１６】
図９（ａ）（ｂ）はオポジットトラックパスの説明図であり、図９（ａ）は光入射面から見たＬ０層のトラックパス方向を表す説明図であり、図９（ｂ）は光入射面から見たＬ１層のトラックパス方向を表す説明図である。
【０１１７】
また、図１０（ａ）（ｂ）はパラレルトラックパスの説明図であり、図１０（ａ）は光入射面から見たＬ０層のトラックパス方向を表す説明図であり、図１０（ｂ）は光入射面から見たＬ１層のトラックパス方向を表す説明図である。
【０１１８】
図１１（ａ）は、オポジットトラックパスの場合の情報の記録再生の様子を説明する説明図であり、図１１（ｂ）は、パラレルトラックパスの場合の情報の記録再生の様子を説明する説明図である。
【０１１９】
一般的に、記録型の２層光情報記録媒体では、オポジットトラックパスが採用されている。これは、例えば、大量の情報を連続記録する場合、Ｌ０層の内周より記録を始めて、同層の最外周まで記録が終わると、次にはＬ１層への記録を始めることになるが、その場合、Ｌ１層のトラックパス方向が外周から内周に向かうオポジットトラックパスの場合は、ピックアップの半径方向の移動がほとんどない状態で、Ｌ１層へレイヤージャンプし、記録を続行することが出来る。
【０１２０】
一方、パラレルトラックパスの場合は、Ｌ０層の内周より記録を始めて、同層の最外周まで記録が終わると、次にはＬ１層への記録を始めるが、Ｌ１層のトラックパス方向は、内周から外周に向かう方向である。パラレルトラックパスの場合は、ピックアップの半径方向へ大きな移動を伴うことになる。このため、一般的に、パラレルトラックパスより、オポジットトラックパスの方が、記録時間を短縮できるためである。
【０１２１】
また、再生専用の２層光情報記録媒体においても同様のことが言えるため、一般に、再生専用の２層光情報記録媒体においても、オポジットトラックパスが採用されている。
【０１２２】
ところで、Ｌ０層がＲＥ層であり、Ｌ１層がＲＯＭ層であるコンビネーションディスクにおいては、ＲＥ層とＲＯＭ層はパラレルトラックパスであることが望ましい。
【０１２３】
つまり、光情報記録媒体１は、Ｌ０層であるＲＥ層４０のトラックパス方向が内周から外周に向かう方向となっており、且つＲＯＭ層２０のトラックパスがパラレルトラックパスとなっている。
【０１２４】
また、光情報記録媒体１は、ＲＯＭ層２０のリードイン領域がコンテンツ等が記録された領域Ａ（図２参照）より内周部に設けられていることが好ましい。
【０１２５】
なぜならば、光情報記録媒体１は、連続記録時にＬ１層まで情報を記録することは無く、光情報記録媒体１に記録された情報を再生する際も、前述したＲＯＭ層２０の旧データを、ネット接続できる際に得た更新データをＲＥ層４０に記録し、置き換えるような使用を考えた場合、ＲＥ層４０の補完情報を、ＲＯＭ層２０に記録された情報を再生する際に、適時用いる。このため、元々、光情報記録媒体１は、ＲＯＭ層２０からＲＥ層４０へ連続再生する方式は使えない。
【０１２６】
さらに、ＲＯＭ層２０においては、コンテンツの容量は、ＲＯＭ層２０の最大容量と一致していることはまずありえず、通常、コンテンツの容量は、ＲＯＭ層２０の最大容量より少ない。
【０１２７】
この場合、Ｌ１層のＲＯＭ層２０のトラックパス方向が外周から内周に向かう場合（オポジットトラックパスの場合）、リードイン領域に記録されている情報を再生後、すぐコンテンツ上を再生できるようにするため、ＲＯＭ層２０を再生するための情報を得るためのリードインエリアは、トラックパス方向の最も上流にあるべきである。よって、オポジットトラックパスの場合、ＲＯＭ層２０では、外周部にリードイン領域が設けられ、内周側が空白となることになる。
【０１２８】
ここで、リードインエリアには、主に、媒体種類情報、再生条件情報、記録条件情報、及びセクター最終番号情報など、光情報記録媒体に関する媒体情報が記録されている。
【０１２９】
媒体種類情報とは、Ｒ，ＲＥ，ＲＯＭ（本実施の形態の場合はＲＯＭ層とＲＥ層とのコンビネーション）等の種類の情報と層数に関する情報である。再生条件情報とは、推奨再生レーザパワー、線速等の情報である。記録条件情報とは、推奨記録パワー、推奨記録ストラテジ等の情報である。また、セクター最終番号情報とは、ＲＯＭ層の記録されている領域を示す情報である。
【０１３０】
ところで、一般に、記録再生装置が、光情報記録媒体のリードイン領域にアクセスする場合、サーボモーターによるピックアップの移動制度の限界により、光情報記録媒体のリードイン領域に半径方向にある程度の幅が無ければ、アクセスすることが出来ない。
【０１３１】
また、リードイン領域に記録されるべきディスク情報は、多くなく、一周のどの位置から再生が始まったとしても素早く情報が再生できるように、繰り返し記録されている。よって、同じ半径方向の幅のリードイン領域を設ける場合、内周部より外周部のディスク情報の記録の繰り返し数が格段に多くなってしまう。
【０１３２】
すなわち、同じ容量の情報を記録する際、トラックパス方向が内周から外周に向かうようにスタンパを作成する場合より、外周から内周に向かうようにスタンパを作成する方が、作製時間が大きくなることになる。
【０１３３】
なお、現在のＢＤ−ＲＯＭに用いられているピットの大きさは、非常に小さいため、ＤＶＤレベルのカティングは適応できず、ＥＢＲ等を用いたカティングが必要になり、スタンパ作製に非常に長い時間が掛かる。
【０１３４】
一般的には、ＥＢＲ（電子線露光）によって、スタンパ製作を行なう場合、電子線を用いて対応するレジストに露光するため、十分な電子線を原盤上に塗布されたレジストに照射する必要がある。このため、カッティングのための線速を非常に遅くする必要があり、例えばＢＤ用２５ＧＢ容量のＲＯＭ用スタンパを作製するためには、２日の作業時間が必要となる。このように、ＥＢＲによって、スタンパ製作を行なう場合、従来のスタンパ作製に比較にならないほど長時間の作業時間が必要となる。
【０１３５】
すなわち、トラックパス方向が外周から内周に向かうようにスタンパを作成すると多大な時間がかかり、ＲＯＭ層の作製のコストが非常に高いものとなる。
【０１３６】
一方、多くのＬ０層のトラックパス方向が内周から外周に向かい、ＢＣＡが他の媒体の共用化するために内周に設けられていることから、ＢＣＡ再生後、すぐＲＥ層へアクセスし情報を記録する場合があることを想定できるので、Ｌ０層のトラックパス方向は、内周から外周に向かう方が好ましい。
【０１３７】
よって、ＲＥ層とＲＯＭ層が混在するＢＤタイプのコンビネーションディスクにおいてはＲＥ層とＲＯＭ層とがパラレルトラックパスとなっている方が好ましい。
【０１３８】
つまり、光情報記録媒体１のように、Ｌ０層であるＲＥ層４０のトラックパス方向が内周から外周に向かう方向となっており、且つＲＯＭ層２０のトラックパスがパラレルトラックパスとなっていることが好ましい。
【０１３９】
さらに、ＲＥ層とＲＯＭ層が更に多く混在する場合についても、同様な理由により、複数のＲＯＭ層の中でカバー層から最も遠い位置に設けられているＲＯＭ層は、光情報記録媒体に設けられた情報記録層の中でカバー層から最も遠い位置に設けられているＲＥ層のトラックパス方向とパラレルの関係になっているほうが好ましい。
【０１４０】
（情報記録、再生装置）
次に、図１２を用い、本実施の形態に係る光情報記録再生装置について説明する。
【０１４１】
図１２に示すように光情報記録再生装置（光情報記録媒体記録再生装置）７０は、光情報記録媒体１に対して、情報の記録および再生を行う装置である。
【０１４２】
図１２に示すように、光情報記録再生装置７０は、制御部７２と、切替機構（切替手段）７３と、アドレス判定機構７４と、ピックアップ制御部７５と、データ再生回路７６と、ピックアップ７１と、を含む。
【０１４３】
図１２に示すように、光情報記録再生装置７０では、回転する光情報記録媒体１の図示しないトラックへ、ピックアップ７１を移動させるようになっている。
【０１４４】
制御部７２が、レーザ駆動回路（不図示）を介して記録条件、または再生条件を設定して、ピックアップ７１から記録再生用のレーザビームを光情報記録媒体１の記録再生部位に照射することによって、光情報記録媒体１のアドレス情報の再生がなされるようになっている。
【０１４５】
また、光情報記録再生装置７０は、光情報記録媒体１のＲＥ層４０のアドレス情報を再生する方法（以下、ＲＥ層アドレス情報再生方法と称する）と、ＲＯＭ層２０のアドレス情報を再生する方法（以下、ＲＯＭ層アドレス情報再生方法と称する）とを切り替えることが可能な切替機構７３を有する。
【０１４６】
切替機構７３は、制御部７２に含有されており、制御部内の指示により、アドレス判定機構への入力信号を切り替えるものである。
【０１４７】
光情報記録再生装置７０は、切替機構７３を有することにより、光情報記録媒体１のように、同一の光情報記録媒体にＲＥ層とＲＯＭ層とが混在するし、コストを抑えたコンビネーションディスクに対しても、ＲＥ層とＲＯＭ層のアドレス情報が再生できる。このため、ＲＥ層とＲＯＭ層のアドレス情報を良好に記録や、再生を行なうことができる。
【０１４８】
また、切替機構７３によるＲＥ層アドレス情報再生方法と、ＲＯＭ層再生方法とを切り替えは、光情報記録媒体１に対して光情報記録再生装置７０が情報の記録または再生を行なっている層を変更する際に、目的の層の種類に合わせて切り替える。
【０１４９】
このように、光情報記録再生装置７０が情報の記録または再生を行なっている層を変更する（レイヤージャンプする）際に、アドレス情報再生方法を切り替えることによって、光情報記録再生装置７０は、素早くアドレス情報を確認でき、現在位置を確定できるという効果がある。加えて、光情報記録再生装置７０は、アドレス情報が再生できない場合は目的の層にレイヤージャンプできなかったことを素早く判断できるという効果もある。
【０１５０】
加えて、光情報記録再生装置７０は、光情報記録媒体１のＲＥ層４０に記録された情報を良好に再生できるレーザパワーで、ＲＯＭ層２０に記録された情報も再生することができる。
【０１５１】
一般にＲＥ層は、ＲＯＭ層と比較して、層を構成する材料に起因する理由により反射率を上げることが困難であるため、記録による変調度が得にくい。そのため、例えば２層のＲＥディスクでは、特にＬ０層の信号特性を良好にするため、２層のＲＯＭ層より高い再生レーザパワーで再生を行っている。
【０１５２】
本実施の形態の光情報記録媒体１の構造ではなく、Ｌ０層にＲＯＭ層がある２層のコンビネーションディスクでは、Ｌ１層にあるＲＥ層は光のロスが無いため、ＲＯＭ層を再生する程度のレーザパワーであっても良好な再生特性を得ることは出来る。
【０１５３】
しかし、本実施の形態の光情報記録媒体１の構造のコンビネーションディスクでは必ず光のロスが発生するため、ＲＯＭ層２０を再生するレーザパワーより、高いレーザパワーでＲＥ層４０を再生しないと良好な再生特性を得ることは出来ない。
【０１５４】
よって、Ｌ０層に設けられたＲＥ層４０は、通常のＲＯＭ層２０を再生するレーザパワーより高く設定する必要がある。その場合、レイヤージャンプ等によってレーザーパワーを切り替えることは、記録再生装置にとって負担が大きいため、同一にする必要がある。
【０１５５】
よって、上述したように、光情報記録媒体１のＲＥ層４０に記録された情報を良好に再生できるレーザパワーで、ＲＯＭ層２０に記録された情報も再生することにより、光情報記録再生装置７０は、Ｌ０層の再生特性を良好に出来、自装置の負担も低減できるという効果が生じる。
【０１５６】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【０１５７】
本発明は以下のように表現することもできる。
【０１５８】
基板上に、再生光によって情報を読み出すことが可能な複数の情報記録層と、上記複数の情報記録層各々を分離する中間層と、上記基板より最も遠い位置に設けられた透光層とを有し、上記複数の情報記録層は、情報を読み出すことのみ可能な層と情報を書き換えることが可能な領域を含む書き換え層からなる光情報記録媒体であって、上記透光層より最も遠い位置に設けられた情報記録層が、情報を書き換えることが可能な領域を含む書き換え層であり、且つ光照射によって情報を読み出すことのみ可能な層において用いられている情報記録形式より容易に検出可能な方式で記録されるディスクタイプ識別情報及び個体識別番号の記録層であることを特徴とする光情報記録媒体。
【０１５９】
上記容易に判定可能な方式は、パルスレーザー光を情報記録層に照射して、μｍ単位の幅で長さがμｍ単位からｍｍ単位のストライプを形成し、情報を記録する方式であることを特徴とする光情報記録媒体。
【０１６０】
上記ディスクタイプ識別情報、及び上記個体識別番号が記録される半径位置は、情報の再生にトラッキングが必要となる情報記録領域より内周にあることを特徴とする光情報記録媒体。
【０１６１】
上記透光層より最も遠い位置に設けられた情報記録層のトラックパス方向が内周から外周に向かう方向となっており、且つ上記トラックパス方向に対し、上記透光層より最も遠い位置に設けられた上記情報を読み出すことのみ可能な層のトラックパスがパラレルトラックパスとなっていることを特徴とする光情報記録媒体。
【０１６２】
上記情報を読み出すことのみ可能な層のリードイン領域がコンテンツ記録領域より内周部に設けられていることを特徴とする光情報記録媒体。
【０１６３】
上記書き換え層のアドレスは、上記書き換え層に設けられたグルーブを基板面方向に蛇行させることによって記録され、上記情報を読み出すことのみ可能な層のアドレスは、当該情報を読み出すことのみ可能な層に設けられた凹凸からなるプリピットにより記録されていることを特徴とする光情報記録媒体。
【０１６４】
上記情報を読み出すことのみ可能な層には、プリピットを光入射面に対して凹となるように形成するインピット形式で、情報が記録されていることを特徴とする光情報記録媒体。
【０１６５】
上記情報を読み出すことのみ可能な層に設けられている情報を再生した場合に得られるプッシュプル信号の極性が、ネガティブになる記録形式にてプリピットにより情報が記録されていることを特徴とする光情報記録媒体。
【０１６６】
上記光情報記録媒体に対して、情報の記録再生が可能な光情報記録媒体記録再生装置であって、上記光情報記録媒体のアドレスを再生する場合に、上記書き換え層のアドレス情報の再生手段と、上記情報を読み出すことのみ可能な層のアドレス情報再生手段とを切り替えることが可能な切替手段を有することを特徴とする光情報記録媒体記録再生装置。
【０１６７】
上記切替手段によるアドレス情報の再生手段の切り替えは、記録再生している層を変更する際に、目的の層の種類に合わせて切り替えることを特徴とする光情報記録媒体記録再生装置。
【０１６８】
上記光情報記録媒体に対して、情報の記録再生が可能な光情報記録媒体記録再生装置であって、上記透光層より最も遠い位置に設けられた情報記録層に記録された情報を良好に再生できるレーザパワーであって、上記透光層より最も遠い位置に設けられた情報記録層に記録された情報を再生するレーザパワーによって、情報を読み出すことのみ可能な層の情報も再生することを特徴とする光情報記録媒体記録再生装置。
【０１６９】
以上のように、本発明の光情報記録媒体は、基板上に、再生光によって情報を読み出すことが可能な複数の情報記録層と、上記複数の情報記録層各々を分離する中間層と、上記基板より最も遠い位置に設けられた透光層とを有し、上記複数の情報記録層は、情報を読み出すことのみ可能な層と情報を書き換えることが可能な領域を含む書き換え層からなる光情報記録媒体であって、上記透光層より最も遠い位置に設けられた情報記録層が、情報を書き換えることが可能な領域を含む書き換え層であり、且つ光照射によって情報を読み出すことのみ可能な層において用いられている情報記録形式より容易に判定可能な方式で記録されるディスクタイプ識別情報及び個体識別番号の記録層であることを特徴とする。
【０１７０】
ここで、上記ディスクタイプ識別情報とは、ディスクタイプを識別するための情報である。すなわち、ディスクタイプ識別情報とは、ディスクに設けられている情報記録層の数や、設けられた情報記録層の種類（ＲＯＭ，Ｒ，ＲＥ等)を表したり、上記複数の情報記録層のうち、上記情報を読み出すことのみ可能な層（以下、ＲＯＭ層と称する）と、上記情報を書き換えることが可能な領域を含む書き換え層（以下、ＲＥ層と称する）との配置位置を表す情報であり、光情報記録媒体の種類を識別するための情報である。
【０１７１】
また、上記個体識別番号とは、光情報記録媒体の個体を識別するための番号であり、ＢＣＡ記録の際に、併せて光情報記録媒体に記録されることが好ましい。上記個体識別番号を適宜用いることにより、ＲＥ層への不正なダビング等を防止することができる。
【０１７２】
上記構成によると、上記ディスクタイプ識別情報及び上記個体識別情報は、上記透光層より最も遠い位置に設けられた情報記録層（以下、Ｌ０層と称する）に記録されている。
【０１７３】
このため、上記複数の情報記録層のうち、上記ディスクタイプ識別情報及び上記個体識別情報がどの層に記録されているかを、上記ディスクタイプ識別情報及び上記個体識別情報を再生する再生装置に、予め設定しておくことが可能となる。これにより、上記複数の情報記録層のうち、上記ディスクタイプ識別情報及び上記個体識別情報が記録されている層を、上記再生装置に特定させるための時間を短縮することができる。さらに、同一の再生装置で、さまざまなディスクタイプの光情報記録媒体の共用化が容易になる。
【０１７４】
また、上記構成によると、上記透光層より最も遠い位置に設けられた情報記録層が、ＲＥ層である。つまり、上記構成によると、Ｌ０層としてＲＥ層が配置されることとなる。
【０１７５】
このため、Ｌ０層としてＲＯＭ層を配置した場合に生じる、上記ＲＯＭ層にＢＣＡを記録する際の上記ＲＥ層と、当該ＲＥ層の上層または下層に配される中間層や、透光層などとが剥離することを防止することができる。このため、Ｌ０層にＢＣＡ記録された上記ディスクタイプ識別情報や、上記個体識別番号などを、正しく再生装置などに再生させることができる。
【０１７６】
このように、上記構成は、ＤＶＤタイプよりも、記録容量アップが図りやすいＢＤ形式の多層ディスクであり、且つコンビネーションディスクにおいては、光入射面に対して遠い情報記録層（Ｌ０）にユーザが利用する情報記録形式より容易に判定可能な方式で記録されるディスクタイプ識別情報及び個体識別番号（ＢＣＡ記録時に記録される情報）があると共に、ＲＥ層を配置する構成である。
【０１７７】
上記構造により、記録再生装置におけるディスクタイプの確認が容易となり、一つの記録再生装置で他の種類の光ディスクと共用化できると共に、ディスクの生産が容易になる。そしてＲＯＭ層の旧データを、インターネット接続できる際に得た更新データをＲＥ層に記録し、置き換えることが可能になる光情報記録媒体を実現できる。
【０１７８】
本発明の光情報記録媒体は、さらに、上記判定可能な方式がパルスレーザー光を情報記録層に照射して、μｍ単位の幅のストライプを形成し、情報を記録する方式であることが好ましい。
【０１７９】
上記構成により、ディスクタイプ識別情報及び個体識別番号を読み取るための再生装置での再生時において、フォーカスや再生光照射の半径方向位置が多少ずれたとしても、上記再生装置で、ディスクタイプ識別情報及び個体識別番号を読み取ることができる。
【０１８０】
本発明の光情報記録媒体は、さらに、上記ディスクタイプ識別情報及び上記個体識別番号が記録される情報を再生する際にトラッキングが必須ではない領域Ｂの半径位置が、情報を再生する際にトラッキングが必要な情報記録領域Ａより内周にあることが好ましい。
【０１８１】
上記構成によると、上記ディスクタイプ識別情報及び上記個体識別番号は、光情報記録媒体の内周近傍に配置される。このため、上記ディスクタイプ識別情報及び上記個体識別番号を、情報記録領域より外周側、つまり、光情報記録媒体の外周近傍に配置する場合と比較して、上記ディスクタイプ識別情報及び上記個体識別番号を光情報記録媒体に記録するための時間を短縮することができ、情報記録容量を増大できる。
【０１８２】
また、本発明の光情報記録媒体は、上記透光層より最も遠い位置に設けられた情報記録層のトラックパス方向が内周から外周に向かう方向となっており、且つ上記情報を読み出すことのみ可能な層の中で最も上記透光層より遠い位置に設けられた上記情報を読み出すことのみ可能な層とのトラックパスがパラレルトラックパスとなっていることが好ましい。
【０１８３】
上記構成によると上記情報を読み出すことのみ可能な層の中で最も上記透光層より遠い位置に設けられた上記情報を読み出すことのみ可能な層の作製に必要なスタンパの作製時に内周近傍よりカッティングを開始することが可能になるので、情報記録領域Ａ全面に情報を記録する場合以外は、外周部近傍よりカッティングを開始するより、精度的な面でカッティングが容易になり、製造コストが低減できる。
【０１８４】
また、上記情報を読み出すことのみ可能な層のリードイン領域がコンテンツ記録領域より内周部に設けられていることが好ましい。
【０１８５】
上記構成によると、上記リードイン領域に記録されている媒体情報（媒体種類情報、再生条件情報、セクター最終番号情報等の情報）が、光情報記録媒体の内周近傍に配置される。このため、上記媒体情報を、情報記録領域Ａより外周側、つまり、光情報記録媒体の外周近傍に配置する場合と比較して、上記情報を読み出すことのみ可能な層の作製に必要なスタンパの作製時に内周近傍に上記媒体情報を記録できるため、スタンパを製造する時間を低減でき、ひいては製造コストが低減でき、更に情報記録容量を増大できる。
【０１８６】
なぜならば、上記媒体情報は上記情報領域Ａに記録されたコンテンツ情報を再生する場合に、必要であるため、素早く再生する必要があるため、アドレスの確認等無しに再生できることが好ましいため、半径方向に一定の幅（ピックアップを半径方向に移動させるサーボモーター等の精度で決まり、例えば数百μｍ単位の幅）の領域に、１周のどの位置から再生を開始しても、すぐに情報が再生できるように同じ情報が、繰り返し記録されているため、外周近傍に設けるとより広い領域が必要となり、より多くの情報を記録する必要が生じるためである。
【０１８７】
本発明の光情報記録媒体の上記書き換え層のアドレスは、上記書き換え層に設けられたグルーブを基板面方向に蛇行させることによって記録され、上記情報を読み出すことのみ可能な層のアドレスは、当該情報を読み出すことのみ可能な層に設けられた凹凸からなるプリピットにより記録されていることが好ましい。
【０１８８】
ここで、ＲＥ層には、情報記録時に半径方向に隣接する記録マーク同士が干渉しないように、または精度良く再生するために、通常グルーブが設けられている。よって、アドレス情報を記録するためには、上記書き換え層に設けられたグルーブを、基板面方向に蛇行させることによって記録する（以下、ウォブルと称する）ことが最も容易である。一方、グルーブ上にプリピットを設けたり、グルーブの途中にプリピットを設けたりすることは、作業が複雑になるため作製コストが増大する。
【０１８９】
同様に、ＲＯＭ層には一般に凹凸からなるプリピットにより情報記録されているので、上記と同様の理由により、アドレス情報を記録するためには、グルーブ上にプリピットを設けたり、グルーブの途中にプリピットを設けたりすることに比べて、作製コストの増大を防止することができる。
【０１９０】
また、上記情報を読み出すことのみ可能な層には、プリピットを光入射面に対して凹となるように形成するインピット形式で、情報が記録されていることが好ましい。
【０１９１】
ここで、ＲＥ層のグルーブのピッチが狭くなってきた場合、凸と凹で入射光にとって等価ではなくなり、凹部に記録する時は、入射光は凸部と凹部の壁を乗り越えて隣の凸部にまで届き、クロスライトの原因になるため、必然的に狭いトラックピッチを有するＲＥ層では、グルーブが凸部になる配置であるオングルーブで記録再生が必要となる。
【０１９２】
そして、ＲＯＭ層から、ＲＥ層へレイヤージャンプが行われた場合に、誤ってＲＯＭ層にフォーカスされてしまう場合がある。
【０１９３】
この場合、ＲＥ層のオングルーブでの情報記録に対応したプッシュプルの極性（ポジティブ）でＲＯＭ層をトラッキングすると、ＲＯＭ層におけるプリピットの記録形式はインピットであるためＲＯＭ層のアドレスが再生ができない。
【０１９４】
すなわち、ＲＯＭ層における誤った情報の書き換えが行えないことになり、誤ってＲＯＭ層にフォーカスされてしまった場合においても、上記本発明構造により、ＲＯＭ層の損傷を防止できることになる。
【０１９５】
このように、上記構成の場合、コンビネーションディスクにおける情報を読み出すことのみ可能な層の損傷を防止することができる。
【０１９６】
また、上記情報を読み出すことのみ可能な層に設けられている情報を再生した場合に得られるプッシュプル信号の極性が、ネガティブになる記録形式にてプリピットにより情報が記録されていることが好ましい。
【０１９７】
ここで、ＲＥ層のグルーブが凸部になる配置であるオングルーブで記録再生がなされている場合、当該ＲＥ層の情報記録に対応したプッシュプルの極性はポジティブになる。
【０１９８】
そして、上記構成によると、ＲＯＭ層には、情報を再生した場合に得られるプッシュプル信号の極性が、ネガティブになる記録形式にて上記プリピットにより情報が記録されている。
【０１９９】
このため、ＲＯＭ層から、ＲＥ層へレイヤージャンプが行われた場合に、誤ってＲＯＭ層にフォーカスされてしまったとしても、ＲＥ層のオングルーブでの情報記録に対応したプッシュプルの極性（ポジティブ）では、ＲＯＭ層のアドレスが再生ができない。
【０２００】
すなわち、ＲＯＭ層における誤った情報の書き換えが行えないことになり、誤ってＲＯＭ層にフォーカスされてしまった場合においても、上記本発明構造により、ＲＯＭ層の損傷を防止できることになる。
【０２０１】
このように、上記構成の場合、コンビネーションディスクにおける情報を読み出すことのみ可能な層の損傷を防止することができる。
【０２０２】
なお、プッシュプル信号の極性がネガティブとは、再生信号の受光部が内周と外周に２分割されており、外周側の受光部から得られる電圧から、内周側の受光部から得られる電圧を引くことによってプッシュプル信号が算出される再生機において、プリピットの情報を再生しているトラックから内周にジャンプした場合、プッシュプル信号のレベルが０、負、０、正、０となる順で得られることを意味する。当業者には一般的な表現である。
【０２０３】
本発明の光情報記録媒体記録再生装置は、上記光情報記録媒体に対して、情報の記録再生が可能な光情報記録媒体記録再生装置であって、上記光情報記録媒体のアドレスを再生する場合に、上記書き換え層のアドレス情報の再生手法と、上記情報を読み出すことのみ可能な層のアドレス情報再生手法とを切り替えることが可能な切替機構を有することが好ましい。
【０２０４】
ここで、光情報記録媒体記録再生装置（記録再生装置）とは、記録および再生の両方を行う装置、記録のみ行う装置、再生のみ行う装置を含むものである。
【０２０５】
上記切替機構を有することにより、上記光情報記録媒体のように、同一の光情報記録媒体にＲＥ層とＲＯＭ層とが混在し、コストを抑えたコンビネーションディスクに対しても、アドレス情報が再生できる。このため、上記ＲＥ層と上記ＲＯＭ層とのアドレス情報それぞれを良好に記録再生が可能になる。
【０２０６】
上記切替機構によるアドレス情報の再生手法の切り替えは、記録再生している層を変更する際に、目的の層の種類に合わせて切り替えることが好ましい。
【０２０７】
上記構成により、上記情報の記録または再生を行なっている層を変更する（レイヤージャンプする）際に、光情報記録媒体記録再生装置が、アドレス再生手法を切り替えることによって、光情報記録媒体記録再生装置は、素早くアドレスが確認でき、現在位置を確定できるという効果がある。また、光情報記録媒体記録再生装置は、アドレスが再生できない場合は、目的の層にレイヤージャンプできなかったことが、素早く判断できるという効果もある。
【０２０８】
上記光情報記録媒体記録再生装置は、上記透光層より最も遠い位置に設けられた情報記録層に記録された情報を良好に再生できるレーザパワーであって、上記透光層より最も遠い位置に設けられた情報記録層に記録された情報を再生するレーザパワーで情報を読み出すことのみ可能な層の情報も再生することが好ましい。
【０２０９】
ここで、一般にＲＥ層は、ＲＯＭ層に比較して、層を構成する材料に起因する理由により反射率を上げることが困難であるため、記録による変調度が得にくい。そのため、例えば２層のＲＥディスクでは、特にＬ０層の信号特性を良好にするため、２層のＲＯＭ層より高い再生レーザパワーで再生を行っている。
【０２１０】
本願発明の光情報記録媒体ではないＬ０層にＲＯＭ層がある２層のコンビネーションディスクでは、Ｌ１層にあるＲＥ層は光のロスが無いため、ＲＯＭ層を再生する程度のレーザパワーであっても良好な再生特性を得ることは出来る。しかし、本願発明の上記光情報記録媒体では必ず光のロスが発生するため、ＲＯＭ層を再生するのに最低限必要なレーザパワーより高いレーザパワーで再生しないと、良好な再生特性を得ることは出来ない。
【０２１１】
よって、Ｌ０層に設けられたＲＥ層は通常のＲＯＭ層を再生するレーザパワーより高く設定する必要がある。その場合、レイヤージャンプ等によってレーザーパワーを切り替えることは、装置にとって負担が大きいため、同一にする必要がある。
【０２１２】
よって、上記構成にすることにより、Ｌ０層の再生特性を良好に出来、装置負担も低減できるという効果が生じる。
【０２１３】
以上のように、本発明の光情報記録媒体は、基板上に、再生光によって情報を読み出すことが可能な複数の情報記録層と、上記複数の情報記録層各々を分離する中間層と、上記基板より最も遠い位置に設けられた透光層とを有し、上記複数の情報記録層は、情報を読み出すことのみ可能な層と情報を書き換えることが可能な領域を含む書き換え層からなる光情報記録媒体であって、上記透光層より最も遠い位置に設けられた情報記録層が、情報を書き換えることが可能な領域を含む書き換え層であり、且つ光照射によって情報を読み出すことのみ可能な層において用いられている情報記録形式より容易に判定可能な方式で記録されるディスクタイプ識別情報及び個体識別番号の記録層である。
【０２１４】
それゆえ、記録再生装置におけるディスクタイプの確認が容易となり、一つの記録再生装置で他の種類の光ディスクと共用化できると共に、ディスクの生産が容易になる。そしてＲＯＭ層の旧データを、ネット接続できる際に得た更新データをＲＥ層に記録し、置き換えることが可能になる光情報記録媒体を実現できる。
【産業上の利用可能性】
【０２１５】
本発明は、コンビネーションディスクや当該コンビネーションディスクに適用できる。
【符号の説明】
【０２１６】
１  光情報記録媒体
１０  カバー層（透光層）
２０  ＲＯＭ層
２１  プリピット
３０  中間層
４０  ＲＥ層（書き換え層）
４８  グルーブ
４９  記録マーク
５０  基板
７０  光情報記録再生装置（光情報記録媒体記録再生装置）
７１  ピックアップ
７２  制御部
７３  切替機構
【図１】
2010186542.tif 000003
【図２】
2010186542.tif 000004
【図３】
2010186542.tif 000005
【図５】
2010186542.tif 000006
【図６】
2010186542.tif 000007
【図７】
2010186542.tif 000008
【図８】
2010186542.tif 000009
【図９】
2010186542.tif 000010
【図１０】
2010186542.tif 000011
【図１１】
2010186542.tif 000012
【図１２】
2010186542.tif 000013
【図１３】
2010186542.tif 000014
【図４】
2010186542.tif 000015